(57)【要約】【課題】プロジェクタ等の表示装置の電源のオン／オフ操作の手間を省いて会議等のセッティング時間および片付け時間を短縮する。【解決手段】電源管理部２１は、表示装置２の電源のオン／オフを制御する。接続装置記憶部２３は、過去に接続された画像伝送装置１のＭＡＣアドレス等を記憶する。画像伝送装置検索部２２は、一定の時間間隔（例えば１０秒間隔）でネットワーク１００に接続されている他の装置を検索するための検索メッセージをネットワーク１００に対して送信し、ネットワーク１００から受信した応答メッセージに付加されているＭＡＣアドレスが接続装置記憶部２３に格納されているＭＡＣアドレスと一致した場合、電源管理部２１に対して電源をオンする旨の指示を行い、送信した検索メッセージに対応する応答メッセージを一定期間継続して受信できなかった場合、電源管理部２１に対して電源をオフする旨の指示を行う。【選択図】図１
2007140780.tif 000002
【特許請求の範囲】
【請求項１】
ネットワークを介して画像伝送装置に接続される表示装置であって、
電源のオン／オフを制御する電源管理部と、
過去に接続された画像伝送装置の識別情報が記憶されている接続装置記憶部と、
一定の時間間隔でネットワークに接続されている他の装置を検索するための検索メッセージを該ネットワークに対して送信し、該ネットワークから受信した応答メッセージに付加されている識別情報が前記接続装置記憶部に格納されている識別情報と一致した場合、前記電源管理部に対して電源をオンする旨の指示を行う画像伝送装置検索部と、
を備えた表示装置。
【請求項２】
前記画像伝送装置検索部は、送信した検索メッセージに対応する応答メッセージが受信できない状態が一定期間継続した場合または応答メッセージに付加されていた識別情報が前記接続装置記憶部に格納されている識別情報のいずれとも一致しなかった場合、前記電源管理部に対して電源をオフする旨の指示を行う請求項１記載の表示装置。
【請求項３】
前記識別情報が、ＭＡＣアドレスまたはＩＰアドレスである請求項１または２記載の表示装置。
【請求項４】
前記ネットワークが、無線ＬＡＮによるネットワークである請求項１から３のいずれか１項記載の表示装置。
【発明の詳細な説明】
【技術分野】
【０００１】
本発明は、ネットワークを介してパーソナルコンピュータ等の画像伝送装置に接続されるプロジェクタ等の表示装置に関する。
【背景技術】
【０００２】
各種のプレゼンテーションや会議において、パーソナルコンピュータ（以下、パソコンと略す。）等の画像伝送装置からの画像をプロジェクタ等の表示装置により表示させることが広く行われている（例えば、特許文献１参照。）。このような方法で画像を表示させる場合、パソコンを起動して表示させる画像を準備した後、表示装置の電源をオンして映像をスクリーン等に表示させることになる。
【０００３】
しかし、会議室などに設置されているプロジェクタは、ランプなどの性能により起動時間が大幅にかかるため、映像が写せる状態になるまでにある程度の時間が必要であった。そのため、パソコンを起動してからプロジェクタの電源をオンしたのではプレゼンテーションや会議の進行が妨げられ円滑に行われないという弊害が発生してしまう。そのため、会議等の準備をできるだけ短時間にしようとすると、パソコンを起動するとともにプロジェクタの電源をオンしなければならず会議等の準備の手間が煩雑になっていた。
【０００４】
また、会議等の終了後にパソコンを終了させるだけでなくプロジェクタの電源をオフにする手間も必要であるとともに、パソコンのみを終了させてプロジェクタの電源を切り忘れる可能性もある。
【特許文献１】特開２００１−３５８９１９号公報
【発明の開示】
【発明が解決しようとする課題】
【０００５】
上述した従来の表示装置は、パソコン等の画像伝送装置の起動や終了とは別に電源のオン／オフ操作をする必要があるため会議等の準備や片付けが円滑に行われず、また電源の切り忘れの可能性もあるという問題点を有していた。
【０００６】
本発明の目的は、電源のオン／オフ操作の手間を省いて会議等のセッティング時間および片付け時間を短縮することが可能な表示装置を提供することである。
【課題を解決するための手段】
【０００７】
上記目的を達成するために、本発明の表示装置は、ネットワークを介して画像伝送装置に接続される表示装置であって、
電源のオン／オフを制御する電源管理部と、
過去に接続された画像伝送装置の識別情報が記憶されている接続装置記憶部と、
一定の時間間隔でネットワークに接続されている他の装置を検索するための検索メッセージを該ネットワークに対して送信し、該ネットワークから受信した応答メッセージに付加されている識別情報が前記接続装置記憶部に格納されている識別情報と一致した場合、前記電源管理部に対して電源をオンする旨の指示を行う画像伝送装置検索部とを備えている。
【０００８】
また、前記画像伝送装置検索部は、送信した検索メッセージに対応する応答メッセージが受信できない状態が一定期間継続した場合または応答メッセージに付加されていた識別情報が前記接続装置記憶部に格納されている識別情報のいずれとも一致しなかった場合、前記電源管理部に対して電源をオフする旨の指示を行うようにしてもよい。
【０００９】
本発明は、ネットワークを介して画像伝送装置と接続される表示装置において、前回接続を行った画像伝送装置の個体判別を行う機能を備え、その画像伝送装置がネットワークに接続された場合に、同一ネットワーク体系内にその画像伝送装置が存在する事を判別する機能を備え、電源スタンバイ状態から自動で電源が入る機能を備えている。
【００１０】
これらの機能により、ユーザは画像伝送装置を表示装置が接続されたネットワークに接続するだけで表示装置を自動的に起動し使用できる状態にもって行くことができ、円滑な会議を行うことができる。
【００１１】
また、その画像伝送装置がネットワークがから切断された場合、もしくは電源が切られた場合に、同一ネットワーク体系内にその画像伝送装置が存在しない事を判別する機能を備え、電源オン状態から電源スタンバイ状態へ電源が切れる機能を備えている。
【００１２】
これらの機能により、ユーザが画像伝送装置を表示装置がセッティングされている場所から退出したり、電源を切るだけで、表示装置の電源を自動的に切ることができ、ユーザの手間を軽減でき、さらに電源切り忘れを防止することが可能となる。
【発明の効果】
【００１３】
以上説明したように、本発明によれば、画像伝送装置をネットワークに接続して電源を入れるだけで表示装置の電源が自動的にオンとなり、画像伝送装置の電源をオフするだけで表示装置の電源が自動的にオフとなるため、表示装置の電源をオン／オフする手間を省くことができるとともに、電源の切り忘れを防止することができるという効果を得ることができる。
【発明を実施するための最良の形態】
【００１４】
次に、本発明の実施の形態について図面を参照して詳細に説明する。
【００１５】
本発明の一実施形態の表示装置２の構成を図１に示す。図１を参照すると、本実施形態の表示装置（例えばプロジェクタ）２と、画像伝送装置（例えばパーソナルコンピュータ）１とがネットワーク１００（例えば無線ＬＡＮによるネットワーク）を通じて接続されている。
【００１６】
画像伝送装置１は、検索応答部１１を備えている。また、表示装置２は、電源管理部２１と、画像伝送装置検索部２２と、接続装置記憶部２３とを備えている。
【００１７】
検索応答部１１は、ネットワーク１００を介して検索メッセージを受信すると、画像伝送装置１のＭＡＣアドレスおよびＩＰアドレスを付加した応答メッセージを返信する。
【００１８】
電源管理部２１は、表示装置２の電源のオン／オフを制御している。通常、電源管理部２１は、表示装置２を電源スタンバイ状態で待機させておき、ユーザが手動で電源を入れた場合や、画像伝送装置検索部２２から電源をオンする旨の指示を受信した場合、電源をオンさせる機能や、ユーザが手動で電源を切った場合や画像伝送装置検索部２２から電源をオフする無念の指示を受信した場合、電源を切り電源スタンバイ状態に戻す機能を有する。
【００１９】
接続装置記憶部２３は、過去に接続された画像伝送装置１のＭＡＣ（Medium Access Control)アドレスおよびＩＰ（Internet Protocol）アドレスを記憶している。
【００２０】
画像伝送装置検索部２２は、一定の時間間隔（例えば１０秒間隔）でネットワーク１００に接続されている他の装置を検索するための検索メッセージをネットワーク１００に対して送信し、ネットワーク１００から受信した応答メッセージに付加されているＭＡＣアドレスまたはＩＰアドレスが接続装置記憶部２３に格納されているＭＡＣアドレスまたはＩＰアドレスと一致するか否かを判定する。そして、画像伝送装置検索部２２は、応答メッセージに付加されていたＭＡＣアドレスまたはＩＰアドレスが接続装置記憶部２３に格納されているＭＡＣアドレスまたはＩＰアドレスと一致した場合、電源管理部２１に対して電源をオンする旨の指示を行い、送信した検索メッセージに対応する応答メッセージを一定期間継続して受信できなかった場合または応答メッセージに付加されていたＭＡＣアドレスまたはＩＰアドレスが接続装置記憶部２３に格納されているＭＡＣアドレスまたはＩＰアドレスのいずれとも一致しなかった場合、電源管理部２１に対して電源をオフする旨の指示を行う。
【００２１】
次に、図１、図２、図３を参照して本実施形態の表示装置２の動作について説明する。図２および図３は、本実施形態の表示装置２の動作を示すシーケンスチャートである。
【００２２】
図１に示した表示装置２は一般的な会議室などに置かれているプロジェクタである。会議が行われない状態では、表示装置２の電源管理部２１は電源スタンバイの状態を維持している。またこの時、画像伝送装置検索部２２は、１０秒間隔で、ネットワーク１００に向かって、画像伝送装置１を検索する検索メッセージをブロードキャストで送信する（ステップＡ１）。
【００２３】
この画像伝送装置１を会議室に持ち込み電源を入れネットワーク１００に接続すると、表示装置２から送信された検索メッセージが検索応答部１１に届く。これを受け取った検索応答部１１は、自分の画像伝送装置１のＭＡＣアドレスおよびＩＰアドレスを付加した応答メッセージを表示装置２に向かって送信する（ステップＡ２）。この応答メッセージが画像伝送装置検索部２２に届くと、画像伝送装置検索部２２は、接続装置記憶部２３から過去に接続された画像伝送装置のＭＡＣアドレスを取得し（ステップＡ３）、取得した接続履歴のＭＡＣアドレスと、応答メッセージに付加されているＭＡＣアドレスが一致しているかの確認を行う（ステップＡ４）。もし、この２つのＭＡＣアドレスが一致した場合、画像伝送装置検索部２２は、電源管理部２１に電源オン処理を依頼する（ステップＡ５）。この電源オン処理の依頼を受けた電源管理部２１は、表示装置２の電源オン処理を行い、表示装置２は画像受信準備状態になる（ステップＡ６）。以上のように、画像伝送装置１を用いて会議等を行おうとするユーザが、会議室内に画像伝送装置１を持ち込み、電源を入れるのみで、表示装置２は電源スタンバイ状態から、電源オン状態に移行する。また、接続装置記憶部２３は、接続した画像伝送装置１のＭＡＣアドレスとＩＰアドレスを記憶する（ステップＡ７）。
【００２４】
図３を参照すると、一度、表示装置２が電源オン状態になったら、画像伝送装置検索部２２は、１０秒に１回、保存したＩＰアドレスに向かってユニキャストで検索メッセージを送信し（ステップＢ１）、検索応答部１１はそれを受け取るたびに、応答メッセージを応答する（ステップＢ２）。これにより、会議室において、画像伝送装置１が利用されている限り、応答メッセージが表示装置２に届くことになる。
【００２５】
そして、ユーザが会議を終了するために、画像伝送装置１の電源を落としたり部屋から退出しネットワーク１００の範囲から外れた場合（ステップＢ３）、画像伝送装置検索部２２に応答メッセージが届かなくなる。この応答メッセージが届かない状態が６回（合計１分）続いた場合に、画像伝送装置検索部２２は、画像伝送装置１が同一ネットワーク体系内から居なくなったと判断し、電源オフ処理を電源管理部２１に依頼する（ステップＢ４）。依頼を受け取った電源管理部２１は表示装置２の電源をオフし、表示装置２を電源スタンバイ状態にする（ステップＢ５）。
【００２６】
上記の処理が行われることにより、画像伝送装置１１を持ち込んで会議を行おうとするユーザは、予め電源の入った画像伝送装置１を持ち込んで、表示装置２と同一のネットワーク１００体系内に入るか、電源の入っていない画像伝送装置１を会議室に持ち込んで、電源を入れることにより、自動的に表示装置２の電源がオンすることになる。そのため、会議開催時のセッティング時間のロスを防ぐことができる。
【００２７】
また、会議等が終了してユーザが画像伝送装置１の電源をオフするか、画像伝送装置１をネットワーク１００の範囲外に移動させると、画像伝送装置１からの応答メッセージが表示装置２に届かなくなる。表示装置２の画像伝送装置検索部２２は、この画像伝送装置１からの応答メッセージが届かなくなった状態が一定時間継続すると、画像伝送装置１が、ネットワーク１００体系内から消滅したと判断し、表示装置２の電源オフ処理を行い、電源スタンバイ状態に戻る。
【００２８】
このようにして、表示装置２の電源オフ機能によって、会議を終了したユーザは、会議室から画像伝送装置を外に持ち出すだけか、画像伝送装置の電源を切るだけで、自動的に表示装置２を電源スタンバイ状態にすることができる。結果として、会議終了時に表示装置の片付けの手間を軽減できる。
【００２９】
本実施形態では、説明を簡単にするために１台の画像伝送装置１のみが存在する場合を用いて説明したが、本発明はこれに限定されるものではなく、複数の画像伝送装置が存在する場合でも同様に本発明を適用することができるものである。
【００３０】
また、本実施形態では、画像伝送装置１を識別するための識別情報として、ＭＡＣアドレスおよびＩＰアドレスを用いて説明しているが、本発明はこのような場合に限定されるものではなく、画像伝送装置１を識別することができる情報であれば他の情報を識別情報として用いてもよい。
【図面の簡単な説明】
【００３１】
【図１】本発明の一実施形態の表示装置２の構成を示すブロック図である。
【図２】本発明の一実施形態の表示装置２の自動電源オン時の動作を示すシーケンスチャートである。
【図３】本発明の一実施形態の表示装置２の自動電源オフ時の動作を示すシーケンスチャートである。
【符号の説明】
【００３２】
１    画像伝送装置
２    表示装置
１１    検索応答部
２１    電源管理部
２２    画像伝送装置検索部
２３    接続装置記憶部
１００    ネットワーク
Ａ１〜Ａ７    ステップ
Ｂ１〜Ｂ５    ステップ
【図１】
2007140780.tif 000003
【図２】
2007140780.tif 000004
【図３】
2007140780.tif 000005